(57)【要約】【課題】処理水を効果的に制菌することができるとともに、その制菌のための製造コストを低減することが可能な水質調整型濾過器を提供すること。【解決手段】濾過部２８にイオン交換樹脂３０を充填し、この濾過部２８に原水を通過させて、その原水を部分軟水化処理させる。前記イオン交換樹脂３０としてＨ型のものを用いて、処理水を所定レベルの酸性にする。前記濾過部２８の下流側には、処理水に対して銀イオンを溶出させるための別の濾過部３２，３５を設ける。濾過部３２，３５には銀コーティングした粒状活性炭３２ａ，３５ａが充填されていて、処理水に銀イオンが溶出され、制菌作用が与えられる。【選択図】      図１
2004255325.tif 000002
【特許請求の範囲】
【請求項１】
イオン交換樹脂よりなる濾材を充填した濾過部に原水を通過させて、その原水を軟水化させるようにした水質調整型濾過器において、
前記イオン交換樹脂としてＨ型のものを用いるとともに、前記濾過部の下流側には、酸性の処理水に対して銀イオンを溶出させるための銀イオン溶出手段を設けたことを特徴とする水質調整型濾過器。
【請求項２】
前記銀イオン溶出手段が銀コーティングを有する活性炭であることを特徴とする請求項１に記載の水質調整型濾過器。
【請求項３】
前記銀イオンの溶出量を調整するための調整手段を設けたことを特徴とする請求項１または請求項２に記載の水質調整型濾過器。
【発明の詳細な説明】
【０００１】
【発明の属する技術分野】
この発明は、イオン交換樹脂を用いて、水道水等の原水から硬度成分である陽イオンを所定値まで除去して軟水化させるようにした水質調整型濾過器に関するものである。
【０００２】
【従来の技術】
従来、この種の水質調整型濾過器としては、イオン交換樹脂よりなる濾過部と粒状活性炭よりなる濾過部とを設け、それらの濾過部に原水を通過させることにより、原水を軟水化させるとともに、浄化濾過させるように構成したものが知られている。この水質調整型濾過器では、粒状活性炭よりなる濾過層において、水道水等の原水に含まれる異物等が除去されると同時に、カルキも取り除かれるため、濾過された処理水中に雑菌が繁殖しやすくなる。
【０００３】
【発明が解決しようとする課題】
ところで、キューブアイス等を製氷するための製氷機においては、製氷に供されることなく、カルシウムやシリカ等が多量に含まれたドレン水が製氷機のドレン、すなわち水皿に溜まり、その後に排出される。そして、この排出過程で、前記ドレン水に含まれる過重なカルシウムやシリカが前記水皿に付着して、マッド状のスケールを生成することがある。そして、そこに細菌やバクテリアが付着するとヌルヌル状のスライムとなって増殖していく。製氷機のドレン水排出系は外気と完全に遮断されていないため、空気中のほこり、細菌やバクテリアが水に混入しやすい環境となっており、それがバクテリアの増大につながっていく。そして、ときには、バクテリアの増殖によって水皿内でヌルヌル状に増殖したスライムの固まりは氷とともに氷の収納ケースであるアイスストッカーに入ってしまうおそれがある。
【０００４】
従って、このような場合には、キューブアイスの風味が落ちてしまうばかりでなく、衛生面でも問題が生じるおそれがある。
前記細菌やバクテリアが発生しないようにするには、製氷機用給水を酸性化させてスケール物質であるカルシウムやシリカ等の溶解度を上げて未然に細菌やバクテリアの増殖核をなくしておく必要がある。しかし、キュービックアイス等の飲料に供する処理水では、その酸性度には限度がある。
【０００５】
この発明は、このような従来の技術に存在する問題点に着目してなされたものである。この発明の目的は、処理水を効果的に制菌することができるとともに、その制菌のための製造コストを低減することが可能な水質調整型濾過器を提供することにある。
【０００６】
【課題を解決するための手段】
上記の目的を達成するために、請求項１に記載の発明は、イオン交換樹脂よりなる濾材を充填した濾過部に原水を通過させて、その原水を軟水化させるようにした水質調整型濾過器において、前記イオン交換樹脂としてＨ型のものを用いるとともに、前記濾過部の下流側には、酸性の処理水に対して銀イオンを溶出させるための銀イオン溶出手段を設けたことを特徴とするものである。
【０００７】
従って、この請求項１に記載の発明によれば、原水が濾過部を通過する際に、イオン交換樹脂よりなる濾材により陽イオンが除去されて軟水化される。この場合、イオン交換樹脂がＨ型であるため、軟水化された処理水が酸性化される。このため、濾過部の下流側の銀イオン溶出手段から、銀イオンが効果的に処理水内に溶出される。従って、カルシウムや一部のシリカ等は酸性の処理水中で溶解度が上がるため、スケール化しにくい。加えて、銀イオンは有効な制菌作用を有するため、細菌やバクテリアの繁殖が抑制される。しかも、銀イオン溶出手段としては、例えば活性炭等に銀を担持させればよいため、部品点数が増えることはなく、水質調整型濾過器の製造コストを抑えることができる。
【０００８】
請求項２に記載の発明は、請求項１に記載の発明において、前記銀イオン溶出手段が銀コーティングを有する活性炭であることを特徴とするものである。
従って、この請求項２に記載の発明によれば、活性炭により不純物が吸着濾過されるとともに、その活性炭から銀イオンが溶出される。活性炭としては、粒状のもの、繊維状のもの、シート状のもの等、適宜に選択される。
【０００９】
請求項３に記載の発明は、請求項１または請求項２に記載の発明において、前記銀イオンの溶出量を調整するための調整手段を設けたことを特徴とするものである。
【００１０】
従って、この請求項３に記載の発明によれば、銀イオンの溶出量をコントロールでき、制菌機能を適正に調整できる。ここで、銀イオンの溶出量とは、溶出総量及び単位水量当たりの溶出量の双方を含むものとする。
【００１１】
【発明の実施の形態】
以下に、この発明の実施形態を、図面に基づいて説明する。
（第１実施形態）
まず、図１〜図３に基づいて第１実施形態を説明する。
【００１２】
図１に示すように、この水質調整型濾過器１１の収容ケース１１ａは有底円筒状に形成され、その上端開口部には蓋体１２がパッキン１３を介して止め具１４により着脱可能に取り付けられている。蓋体１２の頂壁の中心より偏倚した位置には、原水を流入させるための円筒状の流入口１５が配設されている。蓋体１２の頂壁の中心には濾過後の部分軟水化された処理水を流出させるための円筒状の流出口１６が配設され、その内周面には雌ネジ１６ａが形成されている。この第１の実施形態の水質調整型濾過器１１は、例えば製氷回路に組み込まれる。
【００１３】
前記蓋体１２の下面にはカートリッジ１７が垂下状態で着脱可能に取り付けられ、このカートリッジ１７と前記収容ケース１１ａとの間の上部、下部及び周側部に所定の隙間をおいた状態でカートリッジ１７が収容ケース１１ａ内に収容されている。すなわち、カートリッジ１７の上端部の中心には円筒状の出口１８が突設され、その外周面には雄ネジ１８ａが形成されている。そして、この雄ネジ１８ａを前記雌ネジ１６ａに螺合させることにより、カートリッジ１７の出口１８が蓋体１２の流出口１６に連結されて、カートリッジ１７が蓋体１２に垂下固定されている。
【００１４】
図１に示すように、前記カートリッジ１７は、円筒状の本体ケース１９と、その本体ケース１９の上端部に螺着された上蓋２０と、本体ケース１９の下端部に螺着された下蓋２１とを備えている。そして、上蓋２０の上面の中心に前記出口１８が一体に突出形成されている。
【００１５】
前記本体ケース１９内の下部には複数の透孔２２ａを有する棚板２２が配設され、その上面には中心に円筒状の連通口２３ａを有するホルダ２３により、不織布からなるフィルタ２４が配設されている。本体ケース１９内の上部には有底円筒状の上部ケース２５が配設され、その底壁下面の中心には円筒状の連通口２５ａが突設されている。上部ケース２５の底壁内面には区画壁２５ｂが同心状に突出形成され、その区画壁２５ｂの外側の底壁周縁部には複数の透孔２５ｃが形成されている。
【００１６】
前記ホルダ２３の連通口２３ａと上部ケース２５の連通口２５ａとの間にはバイパス管２６が配設されている。バイパス管２６の下方において、下蓋２１上には調整手段としての流量調整機構２７が配設され、流入口１５から収容ケース１１ａ内に流入された原水が、この流量調整機構２７を介してカートリッジ１７の本体ケース１９内に取り込まれるようになっている。このとき、流量調整機構２７により、バイパス管２６の外側と内側とに導入される原水の流量割合が調整されるようになっている。
【００１７】
図１に示すように、前記バイパス管２６の外側において、本体ケース１９内には第１濾過部２８及び第２濾過部２９が設けられている。第１濾過部２８には、水素イオンを有するＨ型のイオン交換樹脂３０が第２濾過部２９と不織布からなるフィルタ３１を介して充填されている。第２濾過部２９は、粒状活性炭２９ａを充填して構成されている。
【００１８】
前記イオン交換樹脂３０は、ビーズ状のカチオン樹脂が充填されたものである。そして、原水は、第２濾過部２９にてそれに含まれる残留塩素が除去されて濾過される。引き続き、その原水は、第１濾過部２８のイオン交換樹脂３０にて硬度成分である陽イオン（ミネラル分）が所定値まで除去されて、軟水化されるとともに、原水濾過水とミックスされてｐＨ（ペーハー）が５．５〜７．０程度、通常は６．５前後に調整される。
【００１９】
図１及び図２に示すように、前記バイパス管２６及び上部ケース２５の外側において、第１濾過部２８の下流側には第３濾過部３２が不織布からなるフィルタ３３を介して設けられている。この第３濾過部３２には、銀または銀化合物（以下、単に銀という）よりなる制菌材をコーティングしてなる粒状活性炭３２ａが充填されている。そして、第１濾過部２８及び第２濾過部２９にて濾過及び軟水化された処理水が第３濾過部３２を通過することにより、粒状活性炭の銀コーティングから酸性処理水に銀イオンを強制的に溶出させて制菌されるようになっている。
【００２０】
前記上部ケース２５の底壁下面には複数のリブ３４が突出形成され、それらの下端が第３濾過部３２とイオン交換樹脂３０との間のフィルタ３３に当接されている。そして、このリブ３４により、粒状活性炭３２ａの量に関わらず第３濾過部３２の収容部の容積が一定の大きさに維持されるとともに、フィルタ３３が位置保持されるようになっている。
【００２１】
図１に示すように、前記上部ケース２５内の区画壁２５ｂの外側空間には、粒状活性炭を充填した第４濾過部３５が不織布からなるフィルタ３６を介して充填されている。上部ケース２５の区画壁２５ｂの内側空間内には、粒状活性炭を充填した第５濾過部３８が不織布からなるフィルタ３９を介して充填されている。前記第４濾過部３５及び第５濾過部３８の粒状活性炭３５ａ，３８ａも銀よりなる制菌材がコーティングされている。
【００２２】
以上のように、前記第３濾過部３２、第４濾過部３５及び第５濾過部３８は粒状活性炭よりなるため、異物の濾過機能を有している。
上部ケース２５の上端開口部には、複数の透孔４０ａを有する蓋板４０が不織布からなるフィルタ４１を介して取り付けられている。
【００２３】
そして、前記第１濾過部２８にて処理された処理水が第３及び第４濾過部３２，３５を通過することにより、イオン交換樹脂の臭いが除去されるようになっている。また、上部ケース２５内に導入された原水が前記バイパス管２６を介して、第１，第２濾過部２８，２９を経ることなく、第５濾過部３８を通過することにより、原水に含まれる異物や細菌等が除去されて濾過されるようになっている。従って、このバイパス管２６から第５濾過部３８に導入された原水は酸性度が調整されない。そして、原水及び処理水が第３及び第４濾過部３２，３５を通過することにより、その原水及び処理水に銀イオンが溶出される。従って、この実施形態においては、第３及び第４濾過部３２，３５により銀イオン溶出手段が構成されている。なお、第５濾過部３８の粒状活性炭３８ａにも銀コーティングが施されているが、これは、第５濾過部３８における雑菌繁殖の抑制を主目的としている。
【００２４】
図３及び図４に示すように、前記流量調整機構２７においては、下蓋２１の底壁内面の中心に支持筒４２が突設され、その外面には一対の取入口４２ａが形成されている。支持筒４２内には調整筒４３が回動可能に嵌挿され、その周面には支持筒４２の取入口４２ａに連通可能な複数の調整孔４３ａが形成されている。調整筒４３の下端には、調整筒４３を回動操作するための操作体４４が取り付けられている。
【００２５】
そして、カートリッジ１７を収容ケース１１ａ内から取り出した状態で、操作体４４にて調整筒４３を回動させることにより、図４（ａ）〜（ｃ）に示すように、支持筒４２の取入口４２ａに対する調整筒４３の調整孔４３ａのなす角度が、０度、３０度、６０度に変更される。この変更により、バイパス管２６の外側の第１濾過部２８に導かれる原水と、バイパス管２６の内側を介して上部ケース２５内の第２濾過部２９に導かれる原水との流量割合が調整されるようになっている。すなわち、流量調整機構２７により、酸性水の流量がコントロールされ、結果として、銀イオンの溶出量が調整される。
【００２６】
次に、前記のような構成を備えた第１実施形態の水質調整型濾過器１１の作用を説明する。
さて、この水質調整型濾過器１１の使用時には、水道水等の原水が蓋体１２の流入口１５から流入されて、収容ケース１１ａ内に満たされる。この状態で、流出口１６に接続された図示しない給水パイプ中の給水バルブが開放されると、収容ケース１１ａ内の原水が流量調整機構２７の流量調整割合に応じて、第２濾過部２９を介してバイパス管２６の外側の第１濾過部２８に導入される。これと同時に、流量調整機構２７の流量調整割合に応じて、所要量の原水が、第１，第２，第３濾過部２８，２９，３２を経ることなく、バイパス管２６の内側を介して上部ケース２５内の第５濾過部３８に導入される。
【００２７】
そして、原水が第２濾過部２９により濾過されるとともに、第１濾過部２８において、イオン交換樹脂３０により軟水化されるとともに、ｐＨ調整が行われて所定レベルの酸性となる。続いて、このように軟水化された酸性の処理水が第３濾過部３２を通過して、銀イオンの溶出により制菌される。さらに、第３濾過部３２を通過した処理水に対しては、第４濾過部３５においてさらに銀イオンが溶出される。
【００２８】
これに対して、前記第５濾過部３８においては、軟水化されず、所定の酸性レベルを有しない原水が濾過処理される。そのため、この処理水には、銀イオンがほとんど溶出しない。その後、カートリッジ１７内の上端部において、銀イオンを多く含む処理水と、銀イオンをほとんど含まない処理水とが混合される。そして、その混合水が出口１８及び流出口１６を介して、前記給水パイプ内に流出される。
【００２９】
よって、適度な硬度を有し、制菌処理された水が流出口１６から外部に供給され、製氷に供することができる。また、例えば、コーヒーやお茶などを入れる場合のように、完全な軟水よりもある程度の硬度の硬水を使用したほうが好ましい場合には、流量調整機構２７を流量調整することにより、所望硬度の処理水を得ることができる。また、制菌機能の強弱を調整する場合にも、流量調整機構２７の流量を調整する。このようにすれば、すべての原水がイオン交換樹脂３０よりなる第１濾過部２８を通過することなく、一部の原水がバイパス管２６内にバイパスされるため、第１濾過部２８のイオン交換樹脂３０及び第２濾過部２９の粒状活性炭２９ａが早期に劣化するのを抑制することができる。
【００３０】
従って、この実施形態によれば、以下のような効果を得ることができる。
・  この実施形態の水質調整型濾過器１１においては、イオン交換樹脂３０よりなる濾材を充填した第１濾過部２８に原水を通過させて、その原水を部分軟水化させるようにしている。そして、前記イオン交換樹脂３０としてＨ型のものを用いるとともに、第１濾過部２８の下流側には、銀イオン溶出手段としての第３及び第４濾過部３２，３５を設けている。
【００３１】
従って、この実施形態によれば、原水が第１濾過部２８を通過する際に、イオン交換樹脂３０よりなる濾材により陽イオンが除去されて軟水化される。この場合、イオン交換樹脂がＨ型であるため、軟水化された処理水は酸性化される。このため、第１濾過部２８の下流側の銀イオン溶出手段としての第３及び第４濾過部３２，３５から、銀イオンが効果的に処理水内に溶出される。従って、カルシウムやシリカの一部等は酸性の処理水中に溶解するため、スケール化しにくい。加えて、銀イオンは有効な制菌作用を有するため、細菌やバクテリアの繁殖を抑制することができる。しかも、第３及び第４濾過部３２，３５として粒状活性炭３２ａ，３５ａに銀を担持させればよいため、部品点数が増えることがなく、水質調整型濾過器の製造コストを抑えることができる。
【００３２】
・  この実施形態によれば、銀イオンの溶出量を調整するための流量調整機構２７を設けたことを特徴とするものである。
従って、銀イオンの溶出量をコントロールでき、制菌機能を適正に調整できるとともに、銀コーティングの寿命を延ばすことができる。
【００３３】
（第２実施形態）
次に、この発明の第２実施形態を図５に基づいて説明する。
この第２実施形態においては、水質調整型濾過器５１が製氷機５２への原料水供給部に設けられたものである。
【００３４】
すなわち、原料水供給管５３の一部には、原水から残留塩素や不純物をスクリーンするための活性炭等の濾過部５４が接続されている。濾過部５４の二次側と前記製氷機５２との間にはバイパス回路５５が接続され、そのバイパス回路５５には、この水質調整型濾過器５１が接続されている。
【００３５】
この水質調整型濾過器５１は、その上流側に、第１実施形態と同様にＨ型のイオン交換樹脂３０よりなる濾過部５６を備えるとともに、その濾過部５６の下流側に銀イオン溶出手段を構成する濾過部５７を有する。濾過部５７には前記実施形態と同様に粒状活性炭に対して銀または銀合金をコーティングした粒状活性炭５７ａが充填されている。
【００３６】
前記水質調整型濾過器５１と並列をなすように、原料水供給管５３には第１バルブ５８が接続されるとともに、水質調整型濾過器５１のそれぞれ上流側及び下流側において、バイパス回路５５には第２，第３バルブ５９，６０が接続されている。
【００３７】
従って、第１バルブ５８が開放されるとともに、第２，第３バルブ５９，６０が閉鎖された状態では、濾過部５４で異物を濾過されたのみの原料水が製氷機５２に送られる。また、第１バルブ５８が閉鎖されるとともに、第２，第３バルブ５９，６０が開放された状態では、濾過部５４で異物を濾過された原料水が水質調整型濾過器５１に送られる。そして、この水質調整型濾過器５１の濾過部５６により軟水化されるとともに、所定の酸性レベルにされた処理水に対して濾過部５７において銀イオンが溶出され、製氷機５２に送られる。
【００３８】
従って、この実施形態においては、第１〜第３バルブ５８〜６０の選択的な開閉により、必要なときにのみ原料水が酸性にされて、その原料水に銀イオンが溶出されるため、イオン交換樹脂３０及び粒状活性炭５７ａの使用期間、すなわち寿命を延長させることができる。
【００３９】
（第３実施形態）
次に、この発明の第３実施形態を図６に基づいて説明する。
この第３実施形態においても、前記第２実施形態と同様に、Ｈ型イオン交換樹脂を備えた水質調整型濾過器５１が製氷機５２への原料水供給部に設けられたものである。
【００４０】
すなわち、原料水供給管５３の一部には、加圧ポンプ７１が接続され、その下流側にはエゼクタ７２が接続され、さらにその下流側に前記製氷機５２が接続されている。
【００４１】
前記加圧ポンプ７１とエゼクタ７２との間における原料水供給管５３には前記水質調整型濾過器５１の入水側配管７４が減圧バルブ７３を介して接続されている。前記入水側配管７４の反対側である水質調整型濾過器５１のＨ型イオン交換樹脂よりなる濾過部５６の出水側配管７５は、前記エゼクタ７２の吸引口に接続されている。その出水側配管７５には、濾過部５７が備えられ、その濾過部５７には粒状活性炭に対して銀または銀合金をコーティングした粒状活性炭５７ａが充填されている。サンプリングコック７８はｐＨチェックのためのサンプル水を抽出するためのものである。
【００４２】
従って、加圧ポンプ７１で加圧された原料水がエゼクタ７２内を高速で通過すると、エゼクタ７２の吸引作用により、水質調整型濾過器５１でｐＨ調整された酸性水が濾過部５７内を通過し、そこで銀イオンが溶出されて、製氷機５２に送られる。
【００４３】
従って、この第３実施形態においても、加圧ポンプ７１の加圧力、減圧バルブ７３の開度等を調整することにより、濾過部５７内を通過する処理水の流量を調整できる。
【００４４】
（第４実施形態）
次に、この発明の第４実施形態を前記第３実施形態と異なる部分について図７に基づいて説明する。
【００４５】
この第４実施形態においては、濾過部５７が水質調整型濾過器５１のケース内においてＨ型イオン交換樹脂濾過部５６の下流に、銀または銀合金コーティング粒状活性炭５７ａよりなる濾過部５７が配置されている。出水側配管７５は、濾過部５７の下流側に接続されている。
【００４６】
従って、この第４実施形態においては、銀または銀合金コーティング粒状活性炭５７ａよりなる濾過部５７が水質調整型濾過器５１内に配置されるため、システム全体を小型化することができる。
【００４７】
（変更例）
なお、この実施形態は、次のように変更して具体化することも可能である。
・  前記第１実施形態において、第３濾過部３２と、第４濾過部３５とを一体化すること。すなわち、第３濾過部３２と、第４濾過部３５との間の隔壁を除去すること。
【００４８】
・  第１実施形態において、流量調整機構２７を省略すること。
・  第１実施形態において、バイパス管２６及び第５濾過部３８を省略すること。
【００４９】
・  第１，第２実施形態において、第２濾過部２９、第３濾過部３２、第４濾過部３５及び第５濾過部３８の濾材として粒状活性炭の代わりに、繊維状活性炭やシート状活性炭を用いること。
【００５０】
（別の技術的思想）
さらに、上記実施形態により把握される請求項以外の技術的思想について、以下にそれらの効果とともに記載する。
【００５１】
（１）  制菌材が銀または銀化合物よりなる請求項１〜請求項３のうちのいずれか一項に記載の水質調整型濾過器。
この構成によれば、処理水に銀イオンを溶出させて、処理水を効果的に制菌することができる。
【００５２】
（２）  制菌材を有する濾過部を複数設け、原水の流量を調整するための流量調整手段をイオン交換樹脂の濾過部を経ることなく、特定の制菌材を有する濾過部に接続し、制菌材を有する他の濾過部にイオン交換樹脂の濾過層を接続したことを特徴とする請求項１〜請求項３のうちのいずれか一項に記載の水質調整型濾過器。
【００５３】
この構成によれば、銀イオンを含まない原水の量を自在に調整できる。
（３）  前記イオン交換樹脂としてカチオン樹脂を用いたことを特徴とする請求項１〜請求項３のいずれか一項に記載の水質調整型濾過器。
【００５４】
従って、イオン交換樹脂を経た処理水を適度なｐＨに調整でき、その処理水の硬度調整を効果的に行うことができる。
（４）  請求項１〜請求項３，前記技術思想（１）〜（３）のうちのいずれか１項に記載の水質調整型濾過器を備えた製氷回路。
【００５５】
（５）  請求項１〜請求項３，前記技術思想（１）〜（３）のうちのいずれか１項に記載の水質調整型濾過器を備えた製氷機。
この技術思想（４）（５）に記載の製氷回路、製氷機によれば、スケールや細菌・バクテリアの発生を抑制できる。
【００５６】
【発明の効果】
以上、実施形態で例示したように、この発明においては、軟水化された処理水が酸性化されて、カルシウムやシリカ等がスケール化しにくく、しかも、銀イオンが有効に溶出して、細菌やバクテリアの繁殖が抑制される効果がある。しかも、この発明においては、銀イオン溶出手段として、例えば活性炭等に銀を担持させればよいため、部品点数が増えることはなく、水質調整型濾過器の製造コストを抑えることができる。
【図面の簡単な説明】
【図１】第一実施形態の水質調整型濾過器を備えた水質調整型濾過器の断面図。
【図２】図１の２−２線における断面図。
【図３】図１の一部を拡大して示す部分断面図。
【図４】（ａ）〜（ｃ）は流量調整機構の作用を示す図３の４−４線における要部断面図。
【図５】第２実施形態を示す水処理回路図。
【図６】第３実施形態を示す水処理回路図。
【図７】第４実施形態を示す水処理回路図。
【符号の説明】
１１…水質調整型濾過器、１１ａ…収容ケース、１２…蓋体、１７…カートリッジ、１９…本体ケース、２５…上部ケース、２６…バイパス管、２７…流量調整機構、２８…第１濾過部、２９…第２濾過部、３０…イオン交換樹脂よりなるイオン交換樹脂、３２…銀イオン溶出手段としての第３濾過部、３５…銀イオン溶出手段としての第４濾過部、３８…第５濾過部、５１…水質調整型濾過器、５２…製氷機、５４…濾過部、５６…濾過部、５７…銀イオン溶出手段としての濾過部。
【図１】
2004255325.tif 000003
【図２】
2004255325.tif 000004
【図３】
2004255325.tif 000005
【図４】
2004255325.tif 000006
【図５】
2004255325.tif 000007
【図６】
2004255325.tif 000008
【図７】
2004255325.tif 000009